(57)【要約】【課題】記念日についてのデータを記録することを使用者によって強く意識されていない場合であっても、記念日についてのデータを記録することを課題とする。【解決手段】記念日の報知に合わせて、データの記録を伴うアプリケーションが記念日に係るデータを記録するようにアプリケーションの動作を制御する。具体的には、記念日の報知が行われた後に携帯端末装置に対する使用者の操作があったか否かを監視し、携帯端末装置に対する使用者の操作（なんらかの操作（例えば、操作部のボタンが押されたなど）があった場合に、アプリケーションを起動させて動作を制御する。アプリケーションとしては、画像を撮像して記録する画像撮像アプリケーションを起動させて動作を制御し、メモ入力を受け付けて記録するメモ入力アプリケーションを起動させて動作を制御し、メールを送信して記録するメールアプリケーションを起動させて動作を制御する。【選択図】        図１
2008187357.tif 000002
【特許請求の範囲】
【請求項１】
記念日が到来した旨を携帯端末装置で報知する方法をコンピュータとしての携帯端末装置に実行させることを特徴とする記念日報知プログラムであって、
前記記念日の報知に合わせて、データの記録を伴うアプリケーションが前記記念日に係るデータを記録するように当該アプリケーションの動作を制御する記念日動作制御手順をコンピュータに実行させることを特徴とする記念日報知プログラム。
【請求項２】
前記記念日動作制御手順は、前記記念日の報知が行われた後に前記携帯端末装置に対する使用者の操作があったか否かを監視し、当該携帯端末装置に対する使用者の操作があった場合に、前記アプリケーションを起動させて動作を制御することを特徴とする請求項１に記載の記念日報知プログラム。
【請求項３】
前記記念日動作制御手順は、前記アプリケーションとして、画像を撮像して記録する画像撮像アプリケーションを起動させて動作を制御することを特徴とする請求項１に記載の記念日報知プログラム。
【請求項４】
前記記念日動作制御手順は、前記アプリケーションとして、メモ入力を受け付けて記録するメモ入力アプリケーションを起動させて動作を制御することを特徴とする請求項１に記載の記念日報知プログラム。
【請求項５】
前記記念日動作制御手順は、前記アプリケーションとして、メールを送信して記録するメールアプリケーションを起動させて動作を制御することを特徴とする請求項１に記載の記念日報知プログラム。
【請求項６】
記念日が到来した旨を携帯端末装置で報知する記念日報知方法であって、
前記記念日の報知に合わせて、データの記録を伴うアプリケーションが前記記念日に係るデータを記録するように当該アプリケーションの動作を制御する記念日動作制御工程を含んだことを特徴とする記念日報知方法。
【請求項７】
記念日が到来した旨を報知する携帯端末装置であって、
前記記念日の報知に合わせて、データの記録を伴うアプリケーションが前記記念日に係るデータを記録するように当該アプリケーションの動作を制御する記念日動作制御手段とを備えたことを特徴とする携帯端末装置。
【発明の詳細な説明】
【技術分野】
【０００１】
この発明は、記念日報知プログラム、記念日報知方法、携帯端末装置に関する。
【背景技術】
【０００２】
従来より、記念日を忘れさせないことを目的として、様々な工夫がなされている。例えば、特許文献１では、デジタルカメラ等の電子機器が誕生日を格納し、格納した誕生日を基準として複数の記念日（例えば、お七夜やお宮参りなど）を算出して表示する装置が提案されている。
【０００３】
【特許文献１】特開２００２−２６２１５０号公報（第１−３頁）
【発明の開示】
【発明が解決しようとする課題】
【０００４】
ところで、上記した従来の技術は、記念日であることを通知しても、記念写真をとることを使用者によって強く意識されていなければ（例えば、忙しくて記録を取る動作が煩雑と感じた場合、忘れられた場合など）、記念写真をとられずに記念日が終了してしまうという課題があった。つまり、記念日であることが通知されても、記念日についてのデータを記録することを使用者によって強く意識されていなければ、記念日についてのデータを記録できないという課題があった。
【０００５】
そこで、この発明は、上述した従来技術の課題を解決するためになされたものであり、記念日についてのデータを記録することを使用者によって強く意識されていない場合であっても、記念日についてのデータを記録することが可能な記念日報知プログラム、記念日報知方法、携帯端末装置を提供することを目的とする。
【課題を解決するための手段】
【０００６】
上述した課題を解決し、目的を達成するため、請求項１に係る発明は、記念日が到来した旨を携帯端末装置で報知する方法をコンピュータとしての携帯端末装置に実行させることを特徴とする記念日報知プログラムであって、前記記念日の報知に合わせて、データの記録を伴うアプリケーションが前記記念日に係るデータを記録するように当該アプリケーションの動作を制御する記念日動作制御手順をコンピュータに実行させることを特徴とする。
【０００７】
また、請求項２に係る発明は、上記の発明において、前記記念日の報知が行われた後に前記携帯端末装置に対する使用者の操作があったか否かを監視し、当該携帯端末装置に対する使用者の操作があった場合に、前記アプリケーションを起動させて動作を制御することを特徴とする。
【０００８】
また、請求項３に係る発明は、上記の発明において、前記アプリケーションとして、画像を撮像して記録する画像撮像アプリケーションを起動させて動作を制御することを特徴とする。
【０００９】
また、請求項４に係る発明は、上記の発明において、前記アプリケーションとして、メモ入力を受け付けて記録するメモ入力アプリケーションを起動させて動作を制御することを特徴とする。
【００１０】
また、請求項５に係る発明は、上記の発明において、前記アプリケーションとして、メールを送信して記録するメールアプリケーションを起動させて動作を制御することを特徴とする。
【００１１】
また、請求項６に係る発明は、記念日が到来した旨を携帯端末装置で報知する記念日報知方法であって、前記記念日の報知に合わせて、データの記録を伴うアプリケーションが前記記念日に係るデータを記録するように当該アプリケーションの動作を制御する記念日動作制御工程を含んだことを特徴とする。
【００１２】
また、請求項７に係る発明は、記念日が到来した旨を報知する携帯端末装置であって、前記記念日の報知に合わせて、データの記録を伴うアプリケーションが前記記念日に係るデータを記録するように当該アプリケーションの動作を制御する記念日動作制御手段とを備えたことを特徴とする。
【発明の効果】
【００１３】
請求項１、６、または７の発明によれば、記念日の報知に合わせて、データの記録を伴うアプリケーションが記念日に係るデータを記録するようにアプリケーションの動作を制御するので、記念日についてのデータを記録することを使用者によって強く意識されていない場合であっても、記念日についてのデータを記録することが可能である。
【００１４】
また、請求項２の発明によれば、記念日の報知が行われた後に携帯端末装置に対する使用者の操作があったか否かを監視し、当該携帯端末装置に対する使用者の操作があった場合に、アプリケーションを起動させて動作を制御するので、アプリケーションを起動するタイミングを、使用者の操作の有無だけで制御することができ、より単純化した処理を実現しつつ、使用者が携帯しているタイミングにアプリケーションを起動することが可能である。
【００１５】
また、請求項３の発明によれば、アプリケーションとして、画像を撮像して記録する画像撮像アプリケーションを起動させて動作を制御するので、記念写真を残そうと使用者によって強く意識されることなく、記念写真を残すことが可能である。
【００１６】
また、請求項４の発明によれば、アプリケーションとして、メモ入力を受け付けて記録するメモ入力アプリケーションを起動させて動作を制御するので、記念日に関するメモを残そうと使用者によって強く意識されることなく、記念日に関するメモを残すことが可能である。
【００１７】
また、請求項５の発明によれば、アプリケーションとして、メールを送信して記録するメールアプリケーションを起動させて動作を制御するので、記念日についてメールを送ろうと使用者によって強く意識されることなく、記念日についてのメールを送ることが可能である。
【発明を実施するための最良の形態】
【００１８】
以下に添付図面を参照して、この発明に係る記念日報知プログラム、記念日報知方法、携帯端末装置の実施例を詳細に説明する。なお、以下では、本発明を携帯端末装置（例えば、携帯電話、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）など）に適した場合の実施例を説明する。実施例１に係る携帯端末装置の概要および特徴、携帯端末装置の構成および処理の流れを順に説明する。
【実施例１】
【００１９】
［携帯端末装置の概要および特徴］
まず最初に、図１を用いて、実施例１に係る携帯端末装置の概要および特徴を説明する。図１は、実施例１に係る携帯端末装置の概要と特徴を説明するための図である。
【００２０】
同図に示すように、実施例１に係る携帯端末装置は、記念日が到来した旨を携帯端末装置で報知する装置であって、このような概要を有する携帯端末装置は、以下で説明するように、記念日についてのデータを記録することを使用者によって強く意識されていない場合であっても、記念日についてのデータを記録することが可能である点に主たる特徴がある。
【００２１】
すなわち、実施例１に係る携帯端末装置は、記念日の報知に合わせて、データの記録を伴うアプリケーションが記念日に係るデータを記録するようにアプリケーションの動作を制御する。具体的には、記念日の報知が行われた後に、携帯端末装置に対する使用者の操作（携帯端末装置に対するなんらかの操作（例えば、操作部のボタンが押されたなど）がおこなわれたか否かを監視する）があったか否かを監視し、携帯端末装置に対する使用者の操作があった場合に、メモ入力を受け付けて記録するメモ入力アプリケーションを起動させて動作を制御し、画像を撮像して記録する画像撮像アプリケーションを起動させて動作を制御し、メールを送信して記録するメールアプリケーションを起動させて動作を制御する。
【００２２】
このようなことから、実施例１に係る携帯端末装置は、記念日についてのデータを記録することを使用者によって強く意識されていない場合であっても、上記した主たる特徴の如く、記念日ついてのデータを記録することが可能である。
【００２３】
［携帯端末装置の構成］
次に、図２を用いて、実施例１に係る携帯端末装置の構成を説明する。図２は、実施例１に係る携帯端末装置の構成を示すブロック図である。同図に示すように、この携帯端末装置は、無線部１１と、ディスプレイ１２と、スピーカ１３と、カメラ１４と、バイブレータ１５と、マイク１６と、操作部１７と、ＧＰＳ（Ｇｌｏｂａｌ  Ｐｏｓｉｔｉｏｎｉｎｇ  Ｓｙｓｔｅｍ）１８と、入出力制御ＩＦ部２０と、制御部３０と、記憶部４０とを備えている。
【００２４】
無線部１１は、電波を受信または電波を放射し、また、携帯端末装置が受信した電波を通信データに復元する処理や、携帯端末装置から放射する通信データを電波に変換する処理を行う。
【００２５】
ディスプレイ１２は、文字や図形などを表示するディスプレイ（例えば液晶ディスプレイ、有機ＥＬディスプレイなど）である。また、スピーカ１３は、音声を出すために用いるスピーカであり、例えば、携帯端末装置に電話の着信があった場合やメールを受信した場合に、呼び出し音を鳴らす。カメラ１４は、画像を撮影し、撮影した画像に関するデータを生成する。バイブレータ１５は、携帯端末装置を振動させる。マイク１６は、周囲の音声を収集し、例えば、音声通信時に使用者の音声を収集する。
【００２６】
操作部１７は、使用者からの操作を受け付けて、携帯端末装置に対して使用者からの操作内容を伝える。例えば、テンキーや、操作キー、回転セレクタ、カーソル、十字キー、設定キー、決定キー、応答キー、終話キー（電源キー）などで構成される。ＧＰＳ１８は、携帯端末装置についての現在位置を調べるための装置である。
【００２７】
入出力制御ＩＦ部２０は、無線部１１やディスプレイ１２、スピーカ１３、カメラ１４、バイブレータ１５、マイク１６、操作キー１７、ＧＰＳ１８、制御部３０、記憶部４０との間でやり取りする各種情報に関する通信を制御する。
【００２８】
記憶部４０は、各種処理に必要なデータおよびプログラムを格納する。そして、本発明に密接に関連するものとしては、図２に示すように、記念日記録記憶部４１と、記念日定義記憶部４２と、記念日記憶部４３とを備える。
【００２９】
記念日定義記憶部４２は、後述する記念日判定部３２によって記念日であるか否かを判定されるために必要な記念日についての定義を記憶する。具体的には、図３に示すように、記念日の名称を示す「記念日名称」と、記念日と判定して報知するために用いる条件を示す「通知条件」とを、「記念日定義テーブル」に対応付けて記憶する。なお、記念日定義記憶部４２は、例えば、不揮発メモリとして構成される。
【００３０】
例えば、図３に示す例では、記念日定義記憶部４２は、「記念日名称」および「通知条件」として、「誕生日」と「毎年の誕生日」とを対応付けて記憶し、「お七夜」と「誕生日から七日後」とを対応付けて記憶し、「お宮参り」と「誕生日から３２日後」とを対応付けて記憶し、「百日祝い」と「誕生日から１００日後」などを対応付けて記憶する。なお、図３は、実施例１における記念日定義記憶部に記憶される記念日定義の一例を示す図である。
【００３１】
記念日記憶部４３は、携帯端末装置によって報知される記念日を記憶する。具体的には、図４に示すように、「記念日名称」と、記念日の内容を示す「記念日内容」とを対応付けて記憶する。また、「記念日内容」として、誰にとっての記念日かを示す「対象者」と、記念日の日付を示す「記念日」とを記憶する。
【００３２】
例えば、図４に示す例では、記念日記憶部４３は、「記念日名称」、「対象者」、「記念日」として、「誕生日」と「赤ちゃん」と「１１月５日」とを対応付けて記憶し、「誕生日」と「自分」と「３月１日」とを対応付けて記憶する。なお、図４は、実施例１における記念日記憶部に記憶される記念日の一例を示す図である。
【００３３】
記念日記録記憶部４１は、記念日についてのデータを記録する。より詳細には、図６に示すように、「記念日名称」と、記念日についてのデータを記録した日付を示す「記録日」と、記録したデータの種類を示す「記録種類」と、記録されたデータを示す「記録内容」とを対応付けて「記念日記録記憶テーブル」に記録する。
【００３４】
例えば、図５に示す例では、記念日記録記憶部４１は、「記念日名称」および「記録日」として、「誕生日」と「２００４年１１月５日」とを対応付け、また、「記録種類」および「記録内容」として、「メモ」と「結衣  １１月５日  女の子  ３１５０グラム  ４５ｃｍ」とを対応付け、「写真」と「ｙｕｉ．ｊｐｅｇ」とを対応づけて「記念日記録記憶テーブル」に記録する。なお、図５は、実施例１における記念日記録記憶部に記録される記念日記録の一例を示す図である。
【００３５】
制御部３０は、ＯＳ（Operating System）などの制御プログラム、各種の処理手順などを規定したプログラムおよび所要データを格納するための内部メモリを有し、これらによって種々の処理を実行して記念日通知装置を制御する。そして、本発明に密接に関連するものとしては、図２に示すように、記念日設定部３１と、記念日判定部３２と、記念日動作制御部３３とを備える。なお、記念日動作制御部３３は、特許請求の範囲に記載の「記念日動作制御手順」に対応する。
【００３６】
記念日設定部３１は、入力された記念日を、記念日記憶部４３に記憶させる。具体的に例をあげれば、図６に示すように、誰の誕生日（記念日）かを示す「お名前」を受付けるフィールドと、誕生日を示す「誕生日」（つまり、「月」および「日」）を受付けるフィールドと、記念日の対象となる人物についての性別を示す「性別」を受付けるフィールドと、記念日の対象となる人物についての産まれた時点における体重を示す「産まれた時の体重」を受付けるフィールドと、記念日の対象となる人物についての産まれた時点における身長を示す「産まれたときの身長」を受付けるフィールドと、「確定」（記念日についての設定を登録する）指示を受付けるボタンとからなる画面を出力する。
【００３７】
例えば、図６に示す例では、記念日設定部３１は、操作部１８から「お名前」として「結衣」、「月」として「１１」、「日」として「５」、「性別」として「女の子」、「産まれた時の体重」として「３１５０（グラム）」、「産まれたときの身長」として「４５（ｃｍ）」がそれぞれ入力されると、これらを記念日記憶部４３に記憶させる。なお、図６は、実施例１における記念日入力時の画面の一例を示す図である。
【００３８】
記念日判定部３３は、記念日か否かを判定し、記念日である場合に、記念日が到来した旨を報知する。具体的には、毎日の所定時刻に（例えば、朝や昼に）記念日定義記憶部４２に記憶された記念日定義と記念日記憶部４３に記憶された記念日を用いて次の記念日を算出し、算出した次の記念日と現在の日付とを比較して一致するか否かを判定し、一致した場合に、記念日であると判定して報知する。例えば、図７に示すように、ディスプレイ１２から記念日（例えば、百日祝い）が到来した旨を報知する。なお、図７は、実施例１における記念日を報知する画面の一例を示す図である。
【００３９】
記念日動作制御部３３は、記念日の報知に合わせて、データの記録を伴うアプリケーションが記念日に係るデータを記録するようにアプリケーションの動作を制御する。具体的には、記念日の報知が行われた後に携帯端末装置に対する使用者の操作（携帯端末装置に対するなんらかの操作（例えば、操作部１７のボタンが押されたなど））があったか否かを監視し、携帯端末装置に対する使用者の操作があった場合に、アプリケーションを起動させて動作を制御する。
【００４０】
さらに詳細には、上記アプリケーションとして、メモ入力を受け付けて記録するメモ入力アプリケーションを起動させて動作を制御し、画像を撮像して記録する画像撮像アプリケーションを起動させて動作を制御し、メールを送信して記録するメールアプリケーションを起動させて動作を制御する。
【００４１】
例えば、記念日動作制御部３３は、記念日判定部３２によって記念日が到来した旨が報知されると、メモ入力アプリケーションを起動してディスプレイ１２から記念日入力画面を出力し、記念日についてのメモを記録する。図８に示す例では、「現在の体重」を受付けるフィールドと、「現在の身長」を受付けるフィールドと、「コメント」を受付けるフィールドと、「確定」（記念日についてのメモの入力を終了する）指示を受付けるボタンとからなる画面を出力する（図８の（Ａ）参照）。そして、操作部１７を介して、「現在の体重」として「５．７（ｋｇ）」と、「現在の身長」として「６０（ｃｍ）」と、「コメント」として「最近では寝返りが上手に打てるようになりました」と入力されて、その後、「確定」指示を受付けると、入力されたメモを記念日記録記憶部４１に記録させる。なお、図８は、実施例１における記念日動作制御時の動作の一例を示した図である。
【００４２】
そして、例えば、記念日動作制御部３３は、記念日についてのメモの入力を受付けると、画像撮像アプリケーションを起動し、ディスプレイ１２から画像撮像画面を出力し、記念日についての画像を記録する。図８に示す例では、カメラが写している画像を表示し、「撮影」（画像を撮像する）指示を受付けるボタンからなる画面を出力する（図８の（Ｂ）参照）。その後、「撮影」指示を受付けると、撮像した画像を記念日記録記憶部４１に記録させる。
【００４３】
そして、例えば、記念日動作制御部３３は、記念日についての画像の撮像を受付けると、メールアプリケーションを起動し、ディスプレイ１２からメール送信画面を出力し、記念日についてのメールを記録する。図８に示す例では、「宛先」を受付けるフィールドと、「題名」（サブジェクト欄）を受付けるフィールドと、「本文」（送信するメールのテキスト）を受付けるフィールドと、「添付」（メールに添付して送る画像）を受付けるフィールドと、「送信」（メールを送信する）指示を受付けるボタンとからなる画面を出力する（図８の（Ｃ）参照）。その後、「送信」指示を受付けると、入力されたメモを記念日記録記憶部４１に記録させる。
【００４４】
［携帯端末装置による記念日設定処理］
次に、図９を用いて、実施例１における記念日設定時の処理手順を説明する。図９は、実施例１における記念日設定時の処理を示すフローチャートである。
【００４５】
図９に示すように、記念日設定部３１は、記念日が入力されると（ステップＳ１０１肯定）、入力された記念日を記念日記憶部４３に記憶させる（ステップＳ１０２）。例えば、操作部１８から「お名前」として「結衣」、「月」として「１１」、「日」として「５」、「性別」として「女の子」、「産まれた時の体重」として「３１５０（グラム）」、「産まれたときの身長」として「４５（ｃｍ）」とがそれぞれ入力されると、これらを記念日記憶部４３に記憶させる。
【００４６】
［携帯端末装置による記念日動作制御処理］
次に、図１０を用いて、実施例１における記念日動作制御時の処理手順を説明する。図１０は、実施例１における記念日動作制御時の処理を示すフローチャートである。
【００４７】
図１０に示すように、記念日判定部３３は、記念日か否かを判定し（ステップＳ２０１）、記念日である場合に（ステップＳ２０１肯定）、記念日を通知する（ステップＳ２０２）。つまり、記念日が到来した旨を報知する。
【００４８】
そして、記念日動作制御部３３は、ユーザー操作（携帯端末装置に対するなんらかの操作（例えば、操作部のボタンが押されたなど））があるかどうかを監視する（ステップＳ２０３）。つまり、記念日の通知（報知）が行われた後に、携帯端末装置に対する使用者の操作があったか否を監視する。
【００４９】
そして、記念日動作制御部３３は、ユーザーの操作があると（ステップＳ２０３肯定）、つまり、携帯端末装置に対する使用者の操作があると、データの記録を伴うアプリケーションが記念日に係るデータを記録するようにアプリケーションの動作を制御する（ステップＳ２０４〜Ｓ２０６）。例えば、メモ入力アプリケーションを起動してディスプレイ１２から記念日入力画面を出力し、記念日についてのメモを記録する（ステップＳ２０４）。続いて、画像撮像アプリケーションを起動し、ディスプレイ１２から画像撮像画面を出力し、記念日についての画像を記録する（ステップＳ２０５）。その後、メールアプリケーションを起動し、ディスプレイ１２からメール送信画面を出力し、記念日についてのメールを記録する（ステップＳ２０６）。
【００５０】
［実施例１の効果］
上記したように、実施例１によれば、携帯端末装置は、記念日の報知に合わせて、データの記録を伴うアプリケーションが記念日に係るデータを記録するようにアプリケーションの動作を制御するので、記念日についてのデータを記録することを使用者によって強く意識されていない場合であっても、記念日についてのデータを記録することが可能である。
【００５１】
また、実施例１によれば、携帯端末装置は、記念日の報知が行われた後に携帯端末装置に対する使用者の操作があったか否かを監視し、当該携帯端末装置に対する使用者の操作があった場合に、アプリケーションを起動させて動作を制御するので、アプリケーションを起動するタイミングを、使用者の操作の有無だけで制御することができ、より単純化した処理を実現しつつ、使用者が携帯しているタイミングにアプリケーションを起動することが可能である。
【００５２】
また、実施例１によれば、携帯端末装置は、アプリケーションとして、画像を撮像して記録する画像撮像アプリケーションを起動させて動作を制御するので、記念写真を残そうと使用者によって強く意識されることなく、記念写真を残すことが可能である。
【００５３】
また、実施例１によれば、携帯端末装置は、アプリケーションとして、メモ入力を受け付けて記録するメモ入力アプリケーションを起動させて動作を制御するので、記念日に関するメモを残そうと使用者によって強く意識されることなく、記念日に関するメモを残すことが可能である。
【００５４】
また、実施例１によれば、携帯端末装置は、アプリケーションとして、メールを送信して記録するメールアプリケーションを起動させて動作を制御するので、記念日についてメールを送ろうと使用者によって強く意識されることなく、記念日についてのメールを送ることが可能である。
【実施例２】
【００５５】
ところで、これまで実施例１に係る携帯端末装置について説明してきたが、この発明は上記した実施例以外にも種々の異なる形態にて実施されてよいものである。そこで、以下では、実施例２に係る携帯端末装置として、異なる実施例を説明する。
【００５６】
（１）アプリケーションの起動順
上記の実施例においては、携帯端末装置は、上記アプリケーションとして、メモ入力アプリケーションを起動し、続いて、画像撮像アプリケーションを起動し、その後、メール送信アプリケーションを起動する場合について説明したが、本発明はこれに限定されるものではなく、一部のアプリケーションのみを起動してもよく（例えば、メール送信アプリケーションのみ起動する場合や、画像撮像アプリケーションとメモ入力アプリケーションのみ起動する場合など）、また、プリケーションを起動する順番を変更してもよい（例えば、画像撮像アプリケーションを起動し、続いて、メモ入力アプリケーションを起動し、その後、メール送信アプリケーションを起動するなど）。
【００５７】
（２）ログ記録アプリケーション
また、実施例１では、携帯端末装置は、上記アプリケーションとして、使用者から記念日のデータとして入力された情報を記録する場合について説明したが、本発明はこれに限定されるものではなく、携帯端末装置の動作履歴を記録してもよい。
【００５８】
具体的には、携帯端末装置は、アプリケーションとして、携帯端末装置の動作履歴をログとして記録するログアプリケーションを起動させて動作を制御する。例えば、図１１に示す例では、「記念日名称」と、携帯端末装置の動作履歴として記憶するログの種類を示す「記録情報種別」とを対応付けて記憶する。そして、記念日が「結婚記念日」の場合には、「スケジュール」（例えば、携帯端末装置に記憶させられた当日のスケジュール）を記憶し、「移動情報」（例えば、ＧＰＳを介して得られた当日の位置情報）を記憶し、「メール」（例えば、予め設定された相手から送受信されたメール）を記憶する。なお、図１１は、実施例２における記念日ログ定義の一例を示す図である。
【００５９】
このように、アプリケーションとして、携帯端末装置の動作履歴をログとして記録するログアプリケーションを起動させて動作を制御するので、記念日に起こった出来事を記録しようと使用者によって強く意識されることなく、記念日に起こった出来事を示すデータを（例えば、スケジュールに設定された内容など）記録することが可能である。
【００６０】
（３）過去の記念日についてのデータを表示
また、実施例１では、携帯端末装置は、記念日の報知に合わせて記念日についてのデータを記録して処理を終了する場合について説明したが、本発明はこれに限定されるものではなく、記念日の報知に合わせて、関連する過去の記念日についてのデータを出力してもよい。
【００６１】
具体的には、携帯端末装置は、記念日に係るデータを記念日と対応付けて所定の記憶部に格納し、記念日の報知に合わせて、記念日に関連する過去の記念日に対応するデータを所定の記憶部から検索して携帯端末装置で出力する。例えば、図１２に示す例では、おひな祭り（記念日）が到来した旨携帯端末装置で報知した後に（図１２の（Ａ）参照）、過去に記録されたおひな祭りについてのデータを表示し（図１２の（Ｂ）参照）、続いて、生後１００日についてのデータを（関連する過去の記念日に対応するデータ）を表示する（図１２の（Ｃ）参照）。なお、図１２は、実施例２における過去の記念日についての記念日記録を表示する処理の一例を説明するための図である。
【００６２】
このように、記念日に係るデータを前記記念日と対応付けて記憶し、記念日の報知に合わせて、記念日に関連する過去の記念日に対応するデータを検索して携帯端末装置で出力するので、使用者によって強く意識されることなく、関連する過去の記念日のデータを確認することが可能である。
【００６３】
（４）その他のアプリケーション
また、上記の実施例では、携帯端末装置は、メモ入力アプリケーション、画像撮像アプリケーション、メール送信アプリケーション、ログ記録アプリケーションを起動する場合について説明したが、本発明はこれに限定されるものではなく、記念日についてのデータの記録を伴う他のアプリケーション（例えば、記念日についての音声（例えば、赤ちゃんの音声など）を記録するアプリケーションなど）を起動してもよい。
【００６４】
（５）メールアプリケーション
また、実施例１では、携帯端末装置は、メール送信に必要なサブジェクト欄に必要な事項を使用者によって入力させる場合について説明したが、本発明はこれに限定されるものではなく、サブジェクト欄に必要な事項が携帯端末装置によって入力されてもよい。
【００６５】
具体的には、携帯端末装置は、メールアプリケーションを起動して動作を制御する場合に、記念日に対応する題目がサブジェクト欄に予め記載された送信用メールを携帯端末装置に出力する。例えば、１００日祝い（記念日）の場合には、サブジェクト欄に「１００日目です！」と入力し、ディスプレイから出力する（図８（Ｃ）参照）。
【００６６】
このように、メールアプリケーションを起動して動作を制御する場合に、記念日に対応する題目がサブジェクト欄に予め記載された送信用メールを携帯端末装置に出力するので、送信するメールのタイトル欄を入力することなく、記念日についてのメールを送ることが可能である。
【００６７】
また、実施例１では、携帯端末装置は、メール送信に必要な宛先欄に必要な事項を使用者によって入力される場合について説明したが、本発明はこれに限定されるものではなく、宛先欄に必要な事項が携帯端末装置によって入力されてもよい。
【００６８】
具体的には、携帯端末装置は、メールアプリケーションを起動して動作を制御する場合に、記念日に関係する人物のメールアドレスが宛先欄に予め記載された送信用メールを携帯端末装置に出力する。例えば、図１３に示す例では、「記念日名称」と、「通知条件」と、記念日が到来した旨メールを送信する対象を示す「通知対象」とを対応づけて記憶する。例えば、「記念日名称」として「百日祝い」、「通知条件」として「誕生日から１００日後」、「通知対象」として「おじいさん・おばあさん」を対応付けて記憶する。
【００６９】
そして、「百日祝い」の場合には、「おじいさん・おばあさん」にメールを送信すると判定して、宛先欄に該当するメールアドレスを入力し、ディスプレイから出力する。例えば、図１４に示すように、宛先欄に「おじいさん・おばあさん」に該当するメールアドレスである「伊藤博文」と「千葉真一」とを入力してディスプレイから出力する。なお、図１３は、実施例２におけるメールの宛先情報を含む記念日定義テーブルに記憶される記念日定義の一例を示す図であり、図１４は、実施例２におけるメールの宛先欄に該当するメールアドレスを入力して出力した画面の一例を示す図である。
【００７０】
このように、メールアプリケーションを起動して動作を制御する場合に、記念日に関係する人物のメールアドレスが宛先欄に予め記載された送信用メールを携帯端末装置に出力するので、送信先を入力することなく、送信するメールの内容を作成するだけで記念日についてのメールを送ることが可能である。
【００７１】
（６）アプリケーションを起動するタイミング
また、実施例１では、携帯端末装置は、記念日が到来した旨を携帯端末装置で報知する時に合わせて、アプリケーションを起動する場合について説明したが、本発明はこれに限定されるものではなく、記念日を報知後、間欠的にアプリケーションを起動してもよい。
【００７２】
具体的には、携帯端末装置は、記念日の報知が行われた後に、記念日に係るデータが記録されるまで、所定の間隔で間欠的にアプリケーションを起動する。例えば、図１５に示す例では、記念日が到来した旨を携帯端末装置で報知し（図１５の（Ａ）参照）、メモ入力アプリケーションを起動し（図１５の（Ｂ）参照）、記念日についてのメモを入力されずにメモ入力アプリケーションが終了すると（図１５の（Ｃ）参照）、所定の間隔で間欠的に、再度メモ入力アプリケーションを起動する（例えば、図１５の（Ｄ）においては、起動してから二時間後である１４時に起動する）。なお、図１５は、実施例２に係る一定時間後に再度アプリケーションを起動する携帯端末装置制御装置の特徴を説明するための図である。
【００７３】
このように、記念日の報知が行われた後に、記念日に係るデータが記録されるまで、所定の間隔で間欠的にアプリケーションを起動するので、使用者によって強く意識されることなく、使用者の都合のいいタイミングで記念日の記録を残すことが可能である。
【００７４】
（７）報知手法
また、実施例１では、記念日が到来した旨をディスプレイに表示することで報知する場合について説明したが、本発明はこれに限定されるものではなく、例えば、スピーカから音声を出力することによって報知してもよい。
【００７５】
（８）システム
また、本実施例において説明した各処理のうち、手動的におこなわれるものとして説明した処理の全部または一部を公知の方法で自動的におこなうこともできる（例えば、記念日をデータベースなどから自動的に入力するなど）。この他、上記文書中や図面中で示した処理手順、制御手順、具体的名称、各種のデータやパラメータを含む情報（例えば、図３、４、５、６、７、８、１１、１２、１３、１４、１５など）については、特記する場合を除いて任意に変更することができる。
【００７６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる（例えば、図２における記念日判定部と記念日動作制御部を統合するなど）。
【００７７】
（９）記念日報知プログラム
ところで、上記実施例１では、ハードウェアロジックによって各種の処理を実現する場合を説明したが、本発明はこれに限定されるものではなく、予め用意されたプログラムをコンピュータで実行することによって実現するようにしてもよい。そこで、以下では、図１６を用いて、上記の実施例１に示した携帯端末装置と同様の機能を有する記念日報知プログラムを実行するコンピュータの一例を説明する。図１６は、実施例１における記念日報知プログラムを示す図である。
【００７８】
同図に示すように、携帯端末装置は、無線部１７０１、スピーカ１７０２、カメラ１７０３、マイク１７０４、操作部１７０５、バイブレータ１７０６、ＧＰＳ１７０７、ディスプレイ１７０８、ＣＰＵ１７１０、ＲＯＭ１７１１、ＨＤＤ１７１２、ＲＡＭ１７１３をバス１７０９などで接続して構成されている。
【００７９】
ＲＯＭ１７１１には、上記の実施例１で示した制御部３０および入出力制御ＩＦ部２０と同様の機能を発揮する制御プログラムおよび入出力制御プログラム、つまり、図１５に示すように、記念日設定プログラム１７１１ａと、記念日判定プログラム１７１１ｂと、記念日動作制御プログラム１７１１ｃと、データ入出力制御プログラム１７１１ｄとが予め記憶されている。なお、これらのプログラム１７１１ａ〜１７１１ｄについては、図２に示した携帯端末装置の各構成要素と同様、適宜統合または分離してもよい。
【００８０】
そして、ＣＰＵ１７１０が、これらのプログラム１７１１ａ〜１７１１ｄをＲＯＭ１７１１から読み出して実行することにより、図１５に示すように、各プログラム１７１１ａ〜１７１１ｄについては、記念日設定プロセス１７１０ａと、記念日判定プロセス１７１０ｂと、記念日動作制御プロセス１７１０ｃと、データ入出力制御プロセス１７１０ｄとして機能するようになる。なお、各プロセス１７１０ａ〜１７１０ｄは、図２に示した、記念日設定部３１、記念日判定部３２、記念日動作制御部３３、入出力制御ＩＦ部２０にそれぞれ対応する。
【００８１】
そして、ＣＰＵ１７１０は、ＲＡＭ１７１３に格納された記念日記録データ１７１３ａと、記念日定義データ１７１３ｂと、記念日データ１７１３ｃとに基づいて記念日報知プログラムを実行する。
【００８２】
なお、本実施例で説明した各プログラム１７１１ａ〜１７１１ｄについては、必ずしも最初からＲＯＭに記憶させておく必要はなく、例えば記念日報知に挿入されるメモリーカード、フレキシブルディスク、ＣＤ−ＲＯＭ、ＭＯディスク、ＤＶＤディスク、光磁気ディスク、ＩＣカードなどの「可搬用の物理媒体」、または、記念日報知の内外に備えられるＨＤＤなどの「固定用の物理媒体」、さらには、公衆回線、インターネット、ＬＡＮ、ＷＡＮなどを介して記念日報知に接続される「他のコンピュータ（またはサーバ）」などに各プログラムを記憶させておき、記念日報知がこれらから各プログラムを読みだして実行するようにしてもよい。
【００８３】
なお、本実施例で説明した記念日報知方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００８４】
（付記１）記念日が到来した旨を携帯端末装置で報知する方法をコンピュータとしての携帯端末装置に実行させることを特徴とする記念日報知プログラムであって、
前記記念日の報知に合わせて、データの記録を伴うアプリケーションが前記記念日に係るデータを記録するように当該アプリケーションの動作を制御する記念日動作制御手順をコンピュータに実行させることを特徴とする記念日報知プログラム。
【００８５】
（付記２）前記記念日動作制御手順は、前記記念日の報知が行われた後に前記携帯端末装置に対する使用者の操作があったか否かを監視し、当該携帯端末装置に対する使用者の操作があった場合に、前記アプリケーションを起動させて動作を制御することを特徴とする付記１に記載の記念日報知プログラム。
【００８６】
（付記３）前記記念日動作制御手順は、前記アプリケーションとして、画像を撮像して記録する画像撮像アプリケーションを起動させて動作を制御することを特徴とする付記１に記載の記念日報知プログラム。
【００８７】
（付記４）前記記念日動作制御手順は、前記アプリケーションとして、メモ入力を受け付けて記録するメモ入力アプリケーションを起動させて動作を制御することを特徴とする付記１に記載の記念日報知プログラム。
【００８８】
（付記５）前記記念日動作制御手順は、前記アプリケーションとして、メールを送信して記録するメールアプリケーションを起動させて動作を制御することを特徴とする付記１に記載の記念日報知プログラム。
【００８９】
（付記６）前記記念日動作制御手順は、前記アプリケーションとして、前記携帯端末装置の動作履歴をログとして記録するログアプリケーションを起動させて動作を制御することを特徴とする付記１に記載の記念日報知プログラム。
【００９０】
（付記７）前記記念日に係るデータを前記記念日と対応付けて所定の記憶部に格納する記念日記録格納手順と、
前記記念日の報知に合わせて、当該記念日に関連する過去の記念日に対応するデータを前記所定の記憶部から検索して前記携帯端末装置で出力する記念日データ出力手順と、
をコンピュータにさらに実行させることを特徴とする付記１〜４または６のいずれかに記載の記念日報知プログラム。
【００９１】
（付記８）前記記念日動作制御手順は、前記メールアプリケーションを起動して動作を制御する場合に、前記記念日に対応する題目がサブジェクト欄に予め記載された送信用メールを前記携帯端末装置に出力することを特徴とする付記４に記載の記念日報知プログラム。
【００９２】
（付記９）前記記念日動作制御手順は、前記メールアプリケーションを起動して動作を制御する場合に、前記記念日に関係する人物のメールアドレスが宛先欄に予め記載された送信用メールを前記携帯端末装置に出力することを特徴とする付記４に記載の記念日報知プログラム。
【００９３】
（付記１０）前記記念日動作制御手順は、前記記念日の報知が行われた後に、前記記念日に係るデータが記録されるまで、所定の間隔で間欠的に前記アプリケーションを起動することを特徴とする付記１に記載の記念日報知プログラム。
【００９４】
（付記１１）記念日が到来した旨を携帯端末装置で報知する記念日報知方法であって、
前記記念日の報知に合わせて、データの記録を伴うアプリケーションが前記記念日に係るデータを記録するように当該アプリケーションの動作を制御する記念日動作制御工程を含んだことを特徴とする記念日報知方法。
【００９５】
（付記１２）記念日が到来した旨を携帯端末装置で報知する携帯端末装置であって、
前記記念日の報知に合わせて、データの記録を伴うアプリケーションが前記記念日に係るデータを記録するように当該アプリケーションの動作を制御する記念日動作制御手段とを備えたことを特徴とする携帯端末装置。
【産業上の利用可能性】
【００９６】
以上のように、本発明に係る携帯端末装置、記念日報知方法および記念日報知プログラムは、記念日が到来した旨を携帯端末装置で報知する技術に有用であって、特に、記念日についてのデータを記録することを使用者によって強く意識されていない場合であっても、記念日についてのデータを記録することが可能な記念日報知プログラムの実現に適する。
【図面の簡単な説明】
【００９７】
【図１】実施例１に係る携帯端末装置の概要と特徴を説明するための図である。
【図２】実施例１における携帯端末装置の構成を示すブロック図である。
【図３】実施例１における記念日定義記憶部に記憶される記念日定義の一例を示す図である。
【図４】実施例１における記念日記憶部に記憶される記念日の一例を示す図である。
【図５】実施例１における記念日記録記憶部に記録される記念日記録の一例を示す図である。
【図６】実施例１における記念日入力時の画面の一例を示す図である。
【図７】実施例１における記念日を報知する画面の一例を示す図である。
【図８】実施例１における記念日動作制御時の動作の一例を図である。
【図９】実施例１における記念日設定時の処理を示すフローチャートである。
【図１０】実施例１における記念日動作制御時の処理を示すフローチャートである。
【図１１】実施例２における記念日ログ定義の一例を示す図である。
【図１２】実施例２における過去の記念日についての記念日記録を表示する処理の一例を示す図である。
【図１３】実施例２におけるメールの宛先情報を含む記念日定義テーブルに記憶される記念日定義の一例を示す図である。
【図１４】実施例２におけるメールの宛先欄に該当するメールアドレスを入力して出力した画面の一例を示す図である。
【図１５】実施例２に係る一定時間後に再度アプリケーションを起動する携帯端末装置の特徴を説明するための図である。
【図１６】実施例１における記念日報知プログラムを示す図である。
【符号の説明】
【００９８】
２０  入出力制御ＩＦ部
３０  制御部
３１  記念日設定部
３２  記念日判定部
３３  記念日動作制御部
４０  記憶部
４１  記念日記録記憶部
４２  記念日定義記憶部
４３  記念日記憶部
【図１】
2008187357.tif 000003
【図２】
2008187357.tif 000004
【図３】
2008187357.tif 000005
【図４】
2008187357.tif 000006
【図５】
2008187357.tif 000007
【図６】
2008187357.tif 000008
【図７】
2008187357.tif 000009
【図８】
2008187357.tif 000010
【図９】
2008187357.tif 000011
【図１０】
2008187357.tif 000012
【図１１】
2008187357.tif 000013
【図１２】
2008187357.tif 000014
【図１３】
2008187357.tif 000015
【図１４】
2008187357.tif 000016
【図１５】
2008187357.tif 000017
【図１６】
2008187357.tif 000018